(57)【要約】【課題】リクライニング時における背もたれの後方突出量を少なく抑えつつ、背もたれの後倒に連動して座部が後方に変位するリクライニング機構付き椅子を提供する。【解決手段】ローラ１４ａおよび当接ブロック１４ｂを一対とする支持部１４によって前後に変位可能に支持された座部１３と、座部１３より上方に回転中心（回転軸２１）を有するリクライニング可能な背もたれ１５と、その回転中心より下方における背もたれの前後方向の動きを反転させて座部１３の後端に伝達することで、背もたれ１５が後方へリクライニングすると座部１３が後方へ変位し、背もたれ１５が起きると座部１３が前方へ変位するように背もたれと座部とを連動させる連動部１６とを有する。【選択図】図１
2010088814.tif 000002
【特許請求の範囲】
【請求項１】
座部と、
前記座部を前後に変位可能に支持する支持部と、
前記座部より上方に回転中心を有するリクライニング可能な背もたれと、
前記回転中心より下方における前記背もたれの前後方向の動きを反転させて前記座部に伝達することで、前記背もたれが後方へリクライニングすると前記座部が後方へ変位し前記背もたれが起きると前記座部が前方へ変位するように前記背もたれと前記座部とを連動させる連動部と、
を有する
ことを特徴とするリクライニング機構付き椅子。
【請求項２】
前記支持部は、後方へ変位するときに、後端が下がる方向へ傾斜するように前記座部を変位させる
ことを特徴とする請求項１に記載のリクライニング機構付き椅子。
【請求項３】
前記支持部は、後方へ変位するときに、後端が下がりかつ前端が上がるように前記座部を変位させる
ことを特徴とする請求項１または２に記載のリクライニング機構付き椅子。
【請求項４】
前記支持部は、前記座部の幅方向を軸方向とするローラとこのローラに当接される当接ブロックとを一対とし、その一方が前記座部の裏面に設けられ、他方が座部の下方の台部に設けられるものを、前記座部の前端側と後端側にそれぞれ有し、
前記当接ブロックの前記ローラに当接する面は、前記座部の前後方向の中心側から外側に向けて下り傾斜している
ことを特徴とする請求項２または３に記載のリクライニング機構付き椅子。
【請求項５】
前記当接ブロックの傾斜した面は、前記座部の下方に中心があって該座部の前後方向を直径方向とする所定の円の円周に沿う曲面をなしている
ことを特徴とする請求項４に記載のリクライニング機構付き椅子。
【請求項６】
前記連動部は、前記回転中心の下方で前記背もたれに第１端部が連結され、前記座部に第２端部が連結され、前記第１端部と前記第２端部の間の所定箇所が台部に軸支されたリンク部材を有する
ことを特徴とする請求項１乃至５のいずれか１つに記載のリクライニング機構付き椅子。
【発明の詳細な説明】
【技術分野】
【０００１】
本発明は、背もたれの傾倒に応じて座部が変位するリクライニング機構付き椅子に関する。
【背景技術】
【０００２】
従来のリクライニング機構付き椅子には、背もたれを倒す動きに連動して座部が後方に移動したり、後方に移動しながら座部の後端側が下降して傾斜したりするように構成されたものがある。（たとえば、特許文献１参照）。このように連動させることで、リクライニングの前後において着座者と背もたれおよび座部とのずれが少なくなる。
【０００３】
特許文献１に開示された椅子は、自動車等に設置されるものであり、車体にベースプレートを載置し、ベースプレートにアームを回動可能に軸支し、このアームに背もたれ（シートバック）を固定するとともに、連動プレートの一端部を回動可能に軸着し、連動プレートの他端部を座部（シートクッション）の後部に固定し、座部の前部を車体に載置したブラケットに前後方向へ移動可能に支持し、かつ、アームを所望の傾斜角度に傾斜調節するロック機構部をベースプレートに設けて構成されている。
【０００４】
【特許文献１】特開平８−２１４９７７号公報
【発明の開示】
【発明が解決しようとする課題】
【０００５】
特許文献１に開示された椅子は、背もたれの回転中心が座部より下方にあるので、この回転中心から背もたれの上端までが長く、後に倒した際に背もたれの後方への突出量が大きくなり、後席スペースが狭くなってしまうという問題がある。
【０００６】
背もたれの後方突出量を少なくする方法としては、背もたれの回転中心を高くする方法がある。たとえば、鉄道用車両シートでは、前後向かい合わせとなるように座席を回転可能に構成されたものがあり、前後向かい合わせにすると、その隣の座席とは背中合わせになって背もたれを倒し難くなるので、背もたれの回転中心を高くして、リクライニング時における背もたれの後方突出量を少なく抑えることが行われる。
【０００７】
しかし、背もたれの回転中心を座部より高くすると、背もたれを倒したときに、背もたれの下部（回転中心より下方の部分）は前方へ移動するので、特許文献１に開示されたような機構では、背もたれを後ろへ倒す動作に連動して座部を後方へ変位させることはできなくなる。
【０００８】
本発明は、上記の問題を解決しようとするものであり、リクライニング時における背もたれの後方突出量を少なく抑えつつ、背もたれの後倒に連動して座部が後方に変位するリクライニング機構付き椅子を提供することを目的としている。
【課題を解決するための手段】
【０００９】
かかる目的を達成するための本発明の要旨とするところは、次の各項の発明に存する。
【００１０】
［１］座部と、
前記座部を前後に変位可能に支持する支持部と、
前記座部より上方に回転中心を有するリクライニング可能な背もたれと、
前記回転中心より下方における前記背もたれの前後方向の動きを反転させて前記座部に伝達することで、前記背もたれが後方へリクライニングすると前記座部が後方へ変位し前記背もたれが起きると前記座部が前方へ変位するように前記背もたれと前記座部とを連動させる連動部と、
を有する
ことを特徴とするリクライニング機構付き椅子。
【００１１】
上記発明では、背もたれの回転中心を座部より高くすることで、リクライニング時における背もたれの後方突出量は少なくなる。また、連動部によって、回転中心より下方における背もたれの前後方向の動きを反転させて座部に伝達するので、背もたれを後方へリクライニングさせると座部が後方へ変位し、背もたれを起こすと座部が前方へ変位するように背もたれと座部が連動する。
【００１２】
［２］前記支持部は、後方へ変位するときに、後端が下がる方向へ傾斜するように前記座部を変位させる
ことを特徴とする［１］に記載のリクライニング機構付き椅子。
【００１３】
上記発明では、座部は、背もたれのリクライニングに伴って後方へ変位する際に、後端が下がる方向へ傾斜する。この傾斜は、たとえば、後方へ変位する際に、後端側が下がることで実現される、あるいは前端側が上昇することで実現される、あるいは後端側が下がりかつ前端側が上昇することで実現される。
【００１４】
［３］前記支持部は、後方へ変位するときに、後端が下がりかつ前端が上がるように前記座部を変位させる
ことを特徴とする［１］または［２］に記載のリクライニング機構付き椅子。
【００１５】
［４］前記支持部は、前記座部の幅方向を軸方向とするローラとこのローラに当接される当接ブロックとを一対とし、その一方が前記座部の裏面に設けられ、他方が座部の下方の台部に設けられるものを、前記座部の前端側と後端側にそれぞれ有し、
前記当接ブロックの前記ローラに当接する面は、前記座部の前後方向の中心側から外側に向けて下り傾斜している
ことを特徴とする［２］または［３］に記載のリクライニング機構付き椅子。
【００１６】
上記発明では、当接ブロックの傾斜した当接面がローラ上を移動することにより、前後の変位と上下の変位が同時に実現される。
【００１７】
［５］前記当接ブロックの傾斜した面は、前記座部の下方に中心があって該座部の前後方向を直径方向とする所定の円の円周に沿う曲面をなしている
ことを特徴とする［４］に記載のリクライニング機構付き椅子。
【００１８】
上記発明では、座部は円周に沿うことで少ない抵抗で滑らかに変位する。
【００１９】
［６］前記連動部は、前記回転中心の下方で前記背もたれに第１端部が連結され、前記座部に第２端部が連結され、前記第１端部と前記第２端部の間の所定箇所が台部に軸支されたリンク部材を有する
ことを特徴とする［１］乃至［５］のいずれか１つに記載のリクライニング機構付き椅子。
【００２０】
上記発明では、簡単な構成で、背もたれ下部の動きを反転させて座部に伝達することができる。
【発明の効果】
【００２１】
本発明によれば、リクライニング時の背もたれの後方への突出量を少なく抑えつつ、背もたれの後倒に連動して座部が後方に変位するリクライニング機構付き椅子が実現される。
【発明を実施するための最良の形態】
【００２２】
以下、図面に基づき本発明の各種実施の形態を説明する。
【００２３】
図１は、本発明の実施の形態に係わるリクライニング機構付き椅子１０の概略構造であって背もたれを起こした状態（アップライト姿勢）のリクライニング機構付き椅子１０を示す。図２は、背もたれをリクライニングさせた（後ろへ倒した）状態を示す。図３はクッションを取り去った状態のリクライニング機構付き椅子１０の主要部を示す斜視図である。
【００２４】
リクライニング機構付き椅子１０は、鉄道車両の車内に設置される二人掛けの座席として構成されている。リクライニング機構付き椅子１０は、床面に設置される脚部１１と、この脚部１１の上に床面と水平に回転可能に軸支された台枠部１２と、人が着座する座部１３と、台枠部１２に対して座部１３を前後に変位可能に支持する支持部１４と、座部１３の後端側にあって座部１３より上方に回転中心（回転軸２１）を有するリクライニング可能な背もたれ１５と、回転中心（回転軸２１）より下方における背もたれ１５の前後方向の動きを反転させて座部１３に伝達することで、背もたれ１５が後方へリクライニングすると座部１３が後方へ変位し、背もたれ１５が起きると座部１３が前方へ変位するように背もたれ１５と座部１３とを連結して連動させる連動部１６と、を備えて構成される。
【００２５】
台枠部１２は、脚部１１に対して図１に示す位置（車両の進行方向を向く位置）とこれに対して１８０度回転した位置のいずれかでロックされ、該ロックは操作ペダル２２を踏み込むことで解除されるようになっている。
【００２６】
台枠部１２は、図３に示すように、前後に平行に配置される２本の支持ビーム１２ａと、これらをその左右両端で接続する側板１２ｂと、２本の支持ビーム１２ａをその中央で接続しかつ脚部１１の中央に設けられた軸受（図示省略）に挿入されるように、軸部１２ｃを備えている。
【００２７】
また、後方側の支持ビーム１２ａ（Ｂ）には、背もたれ１５の回転軸２１の両端を支持する支持腕１２ｄが立設されている。なお、図３では手前側で回転軸２１を支持するための支持腕は図示省略してある。また、各符号の末尾に付した（Ｆ）の記号は前端側、（Ｂ）は後端側を示すものとする。
【００２８】
座部１３は、矩形の枠を成した座フレーム１３ａと、座フレーム１３ａの左右の枠材間に架け渡されて座面を裏側から支持する複数の波型ばね１３ｂと、座フレーム１３ａ全体を上から覆うシートクッション１３ｃ（図１参照）とを備えて構成される。
【００２９】
図１、図２に示すように、座部１３を台枠部１２の上で前後に変位可能に支持する支持部１４は、座部１３の幅方向を軸方向とするローラ１４ａとこのローラ１４ａに当接される当接ブロック１４ｂとを一対とするものを、座部１３の前端側の左右に一対ずつと、座部１３の後端側の左右に一対ずつ配置して構成される。ここでは、座部１３（座フレーム１３ａ）の裏面に当接ブロック１４ｂを設け、台枠部１２の対応する位置にローラ１４ａを回転可能に取り付けてある。
【００３０】
より詳細には、座フレーム１３ａの前端側の枠部裏面の左右にそれぞれ当接ブロック１４ｂ（Ｆ）を取り付け、座フレーム１３ａの後端側の枠部裏面の左右にそれぞれ当接ブロック１４ｂ（Ｂ）を取り付けてある。
【００３１】
座部１３の前端側の左右に設けた当接ブロック１４ｂ（Ｆ）に対応して設けられるローラ１４ａ（Ｆ）は、台枠部１２の前側の支持ビーム１２ａ（Ｆ）に前方へ突出するように固定された取付板２３に軸支されている。また、座部１３の後端側の左右に設けた当接ブロック１４ｂ（Ｂ）に対応して設けられるローラ１４ａ（Ｂ）は、台枠部１２の後方側の支持ビーム１２ａ（Ｂ）に前方へ突出するように固定された取付板２３に軸支されている。
【００３２】
各当接ブロック１４ｂのローラ１４ａに当接する面（当接面）は、座部１３の前後方向の中心側から外側に向けて下り傾斜している。ここでは、下り傾斜した当接面は、座部１３の下方に中心があって座部１３の前後方向を直径方向とする円の円周に沿う曲面を成している。
【００３３】
図４は、支持部１４によって支持された座部１３の動きを簡略化して示している。図４では、座部１３の座フレーム１３ａと、その裏面に取り付けられた前後の当接ブロック１４ｂ（Ｆ）、（Ｂ）と、これらに対応するローラ１４ａ（Ｆ）、（Ｂ）のみを示してある。
【００３４】
座部１３（座フレーム１３ａ）裏面の当接ブロック１４ｂはそれぞれに対応するローラ１４ａの上に載置されている。図中の実線で示す位置にあるときには座部１３（座フレーム１３ａ）は床面に対してほぼ水平な状態（もしくは前端から後端へ少し下り傾斜した状態）となっている。当接ブロック１４ｂの当接面（下面）がローラ１４ａの周面に当接する状態を維持して座部１３（座フレーム１３ａ）が後方へ変位すると、図中の一点破線で示すように、座部１３（座フレーム１３ａ）の後端側は後方への変位に伴って下降し、座部１３（座フレーム１３ａ）の前端側は後方への変位に伴って上昇する。
【００３５】
より詳細には、前側の当接ブロック１４ｂ（Ｆ）の当接面および後ろ側の当接ブロック１４ｂ（Ｂ）の当接面は共に座部１３（座フレーム１３ａ）の下方に中心がある大径の仮想の円Ｍの円周に沿う曲面を成しており、ローラ１４ａの周面はこの仮想の円Ｍの内側に接するように配置されている。座部１３（座フレーム１３ａ）の裏面に設けた各当接ブロック１４ｂは、この仮想の円Ｍの円周に沿って変位する。その結果、座部１３（座フレーム１３ａ）が円Ｍのほぼ真上の位置から円Ｍの円周に沿って後方へ変位すると、座部１３は後端側が下がりかつ前端側が上昇するように傾斜し、仮想の円Ｍの真上に戻れば、ほぼ水平な姿勢に復帰するという動きになる。
【００３６】
次に、連動部１６の構成を図５に基づいて説明する。
【００３７】
連動部１６は、背もたれ１５の回転中心（回転軸２１）より下方側で背もたれ１５の背フレーム１５ａに第１端部３１が連結され、座部１３の座フレーム１３ａの後端側部に第２端部３２が連結され、第１端部３１と第２端部３２の間の所定箇所（この例ではほぼ中央）が、台枠部１２の後端部から立設された第２支持腕１２ｅの先端部に軸３３を介して回動可能に支持されたリンク部材３０を備えている。
【００３８】
より詳細には、背フレーム１５ａの下部には、前方へ膨らむように湾曲して下方へ伸びる湾曲腕２４が設けてあり、この湾曲腕２４の基端部側は回転軸２１で支持腕１２ｄの先端部に軸支されている。湾曲腕２４にはその中間より少し下端側の位置に第１ピン２５が回転軸２１と平行に取り付けてある。リンク部材３０の第１端部３１には、この第１ピン２５に係合される第１長穴３１ａが設けてある。また、座部１３の座フレーム１３ａの後端側部にも回転軸２１と平行に第２ピン２６が立設されており、リンク部材３０の第２端部３２にはこの第２ピン２６に係合される第２長穴３２ａが設けられている。
【００３９】
第１長穴３１ａおよび第２長穴３２ａおよび軸３３は一直線上に配置され、かつ第１長穴３１ａおよび第２長穴３２ａはその長手方向がこの直線に沿った向きとなるように形成されている。
【００４０】
背もたれ１５がリクライニングすると、回転軸２１を中心に湾曲腕２４が図中の矢印Ｊ１方向に回動し、回転軸２１より下方にある第１ピン２５は前方へ進出する。この第１ピン２５に係合された第１長穴３１ａを有するリンク部材３０は、第１ピン２５が前方へ進出すると、第１長穴３１ａのある第１端部３１側が前方へ移動するように軸３３を中心に矢印Ｊ２方向に回動し、反対側の第２端部３２は後方（矢印Ｊ３方向）へ移動する。この移動に伴い、第２端部３２の第２長穴３２ａに係合（挿入）された第２ピン２６を有する座部１３の座フレーム１３ａが後方へ変位する。
【００４１】
背もたれ１５のリクライニングに連動して座部１３（座フレーム１３ａ）が後方へ変位する際には、図４で示したように、座部１３（座フレーム１３ａ）はその後端側が下がり、かつ前端側が上昇するように傾斜する。
【００４２】
背もたれ１５がリクライニング姿勢からアップライト姿勢に起きる場合には、回転軸２１を中心に湾曲腕２４が矢印Ｋ１方向に回動し、回転軸２１より下方にある第１ピン２５は後方（矢印Ｋ２方向）へ後退する。この第１ピン２５に係合された第１長穴３１ａを有するリンク部材３０は、第１ピン２５が後方へ後退すると、第１長穴３１ａのある第１端部３１側が後方へ移動するように軸３３を中心に矢印Ｋ２方向へ回動し、反対側の第２端部３２は前方（矢印Ｋ３方向）へ移動する。この移動に伴い、第２端部３２の第２長穴３２ａに係合（挿入）された第２ピン２６を有する座部１３の座フレーム１３ａは前方へ変位する。
【００４３】
背もたれ１５のアップライト姿勢への復帰に連動して座部１３（座フレーム１３ａ）が前方へ変位する際には、図４で示したように、座部１３（座フレーム１３ａ）の後端側が上昇し、かつ前端側が下降して、水平（図４の実線で示す位置）に戻るように変位する。
【００４４】
このとき、着座者の体重が座部１３の前端に下降する向きに加わるので、座部１３を前方へ移動させるための力が補助される。すなわち、座部１３は仮想の円Ｍの円周に沿って図４に示すように変位する。したがって、前端側が上昇するように傾斜した図４の一点破線で示す位置にある座部１３の前端に加わる着座者の体重による下向きの力は、仮想の円Ｍに沿って座部１３を図４の実線で示す位置に移動させる力として作用し、前方への移動が補助される。
【００４５】
このように、本実施の形態に係るリクライニング機構付き椅子１０では、背もたれ１５の回転中心（回転軸２１）より下方における背もたれ１５の前後方向の動きを、連動部１６のリンク部材３０によって反転させて座部１３に伝達する。これにより、背もたれ１５の回転中心が座部１３より高い位置にあっても、背もたれ１５と座部１３とを、背もたれ１５が後方へリクライニングする際に座部１３が後方へ変位し、背もたれが起きる際に座部１３が前方へ変位するように連動させることができる。
【００４６】
また背もたれ１５のリクライニングに連動して座部１３が後方にスライドしかつ後端側が下がる方向に座面を傾斜（チルト）させるので、リクライニングの前後で、着座者に違和感を与えず、腰を持ち上げて座り直す必要のない快適な座り心地を提供することができる。
【００４７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４８】
連動部１６は実施の形態に示す構成に限定されるものではない。たとえば、背フレーム１５ａの下端を座部１３（座フレーム１３ａ）のさらに下方まで伸ばし、その下端にリンク部材３０の第１端部３１を連結し、第２端部３２を座部１３（座フレーム１３ａ）の後端部に連結し、第１端部３１と第２端部３２との間に軸３３が台枠部１２に軸支される構成としてもよい。
【００４９】
また、連動部１６は、回転中心（回転軸２１）より下方における背もたれ１５の前後方向の動きを反転させる機構であれば、任意の機構でよい。たとえば、歯車を利用して反転させるものであってもよい。
【００５０】
支持部１４の構造は実施の形態で示したものに限定されず、たとえば、リンクの組み合わせにより座部１３を前後もしくは前後と傾斜を変位可能に支持するものであってもよい。
【００５１】
実施の形態では、前端側の当接ブロック１４ｂ（Ｆ）と後端側の当接ブロック１４ｂ（Ｂ）の双方の当接面を傾斜させたが、前後の変位に伴って上下に変位させることを望む側の当接ブロック１４ｂの当接面にのみ傾斜を与えてもよい。たとえば、座部１３を前後の変位に伴って後端側のみ上下に変位させる場合は、後端側の当接ブロック１４ｂ（Ｂ）の当接面にのみ傾斜を与えればよい。また、前端、後端共に上下の変位が不要なら、すべての当接ブロック１４ｂの当接面を水平面にすればよい。
【００５２】
実施の形態ではローラ１４ａを台枠部１２側に設け、当接ブロック１４ｂを座部１３（座フレーム１３ａ）の裏面に設けたが、これらの配置は逆であってもよい。すなわち、ローラ１４ａを座部１３（座フレーム１３ａ）の裏面に、当接ブロック１４ｂをその当接面が上になるように上下反転させて台枠部１２側に取り付けてもよい。
【００５３】
さらに実施の形態では支持部１４のローラ１４ａと当接ブロック１４ｂを一対とするものを座部１３の前端側と後端側とに分けて設けたが、前端側の当接ブロック１４ｂ（Ｆ）と後端側の当接ブロック１４ｂ（Ｂ）とを一体のブロックとして構成してもよい。
【００５４】
このほか、実施の形態では、鉄道車両用の二人掛けの椅子として構成したが、航空機用の椅子や、劇場用、書斎用の椅子などであってもよく、椅子の用途は問わない。
【図面の簡単な説明】
【００５５】
【図１】本発明の実施の形態に係わるリクライニング機構付き椅子の概略構成を、背もたれを立てた状態で示す側面図である。
【図２】本発明の実施の形態に係わるリクライニング機構付き椅子の概略構成を、背もたれをリクライニングさせた状態で示す側面図である。
【図３】図１に示すリクライニング機構付き椅子の主要部を示す斜視図である。
【図４】支持部の構成および作用を示す説明図である。
【図５】連動部を拡大して示す側面図である。
【符号の説明】
【００５６】
１０…リクライニング機構付き椅子
１１…脚部
１２…台枠部
１２ａ…支持ビーム
１２ｂ…側板
１２ｃ…軸受部
１２ｄ…支持腕
１２ｅ…第２支持腕
１３…座部
１３ａ…座フレーム
１３ｂ…波型ばね
１３ｃ…シートクッション
１４…支持部
１４ａ…ローラ
１４ｂ…当接ブロック
１５…背もたれ
１５ａ…背フレーム
１６…連動部
２１…回転軸
２２…操作ペダル
２３…取付板
２４…湾曲腕
２５…第１ピン
２６…第２ピン
３０…リンク部材
３１…第１端部
３１ａ…第１長穴
３２…第２端部
３２ａ…第２長穴
３３…軸
Ｍ…仮想の円
【図１】
2010088814.tif 000003
【図２】
2010088814.tif 000004
【図３】
2010088814.tif 000005
【図４】
2010088814.tif 000006
【図５】
2010088814.tif 000007